(57)【要約】【課題】  見かけの画質を確保し、高画質な画像を表示することが可能な表示装置を提供する。【解決手段】  回動機構３０を利用して回動することにより、画像表示方向Ｇ側において表示パネル１０に対向する操作位置と、この操作位置から退避した画像表示方向Ｇ側と反対方向側の退避位置Ｐ２との間を変位可能となるようにタッチパネル２０を構成する。タッチパネル２０を使用時に操作位置まで変位させると共に非使用時に退避位置Ｐ２まで変位させることが可能になり、すなわち使用の有無に応じてタッチパネル２０を自在に変位させることが可能になる。表示パネルにタッチパネルが連結固定されていたために常に画像をタッチパネル越しに視認しなければならなかった従来の表示装置とは異なり、非使用時にタッチパネル２０を退避位置Ｐ２まで変位させることにより、表示部１１に表示された画像をタッチパネル２０越しではなく直接視認することが可能になる。【選択図】    図４
2005037816.tif 000002
【特許請求の範囲】
【請求項１】
画像を表示する表示パネルと、
この表示パネルを操作するために使用され、画像表示方向側において前記表示パネルに対向する第１の位置とこの第１の位置から退避した第２の位置との間を変位可能な操作パネルと、
この操作パネルを変位させるための変位機構と
を備えたことを特徴とする表示装置。
【請求項２】
前記操作パネルは、前記第１の位置において前記表示パネルにより表示された画像を視認可能とするための透光性領域を有している
ことを特徴とする請求項１記載の表示装置。
【請求項３】
前記操作パネルはタッチパネルである
ことを特徴とする請求項１記載の表示装置。
【請求項４】
前記変位機構は、前記操作パネルを回動させるためのものであり、
前記操作パネルは、前記変位機構を利用して回動することにより、前記第１の位置と前記第２の位置との間を変位可能である
ことを特徴とする請求項１記載の表示装置。
【請求項５】
前記変位機構は、前記操作パネルの一端側に設けられた回動軸を含む１軸ヒンジ機構を有し、
前記操作パネルは、前記画像表示方向側に位置する前記第１の位置と前記画像表示方向側と反対方向側に位置する前記第２の位置との間を変位可能である
ことを特徴とする請求項４記載の表示装置。
【請求項６】
前記変位機構は、前記操作パネルの一端側に設けられた第１の回動軸と、前記表示パネルの一端側に設けられた第２の回動軸と、一端側が前記第１の回動軸により回動可能に支持されると共に他端側が前記第２の回動軸により回動可能に支持された回動板とを含む２軸ヒンジ機構を有し、
前記操作パネルは、前記画像表示方向側において前記表示パネルに対向する前記第１の位置と、前記画像表示方向側と反対方向側において前記表示パネルに対向する前記第２の位置との間を変位可能である
ことを特徴とする請求項４記載の表示装置。
【請求項７】
前記表示パネルは、前記操作パネルが前記第１の位置に位置するか否かを検出する検出手段と、この検出手段により検出された前記操作パネルの位置に基づいて画像の画質を調整する画質調整手段とを有する
ことを特徴とする請求項１記載の表示装置。
【発明の詳細な説明】
【技術分野】
【０００１】
本発明は、画像を表示する表示装置に関する。
【背景技術】
【０００２】
近年、画像を表示する表示装置が広く普及している。この表示装置としては、例えば、液晶テレビなどの一般視聴用途のものや、ＰＤＡ（Personal Digital Assistants ）またはデータビューワなどの携帯情報端末用途のものなどが挙げられる。
【０００３】
この種の表示装置としては、従来、例えば、画像を表示する表示パネルに、この表示パネルを操作するために使用される操作パネルとしての感圧式のタッチパネルが対向配置されて連結固定されたものが既に知られている（例えば、特許文献１および２参照。）。この種の表示装置を使用するユーザは、表示パネルにより表示された画像をタッチパネル越しに視認しながら、必要に応じてタッチパネルを使用することにより表示パネルを操作することが可能である。
【特許文献１】特開２００３−０８７６７３号公報
【特許文献２】特開２００２−２６８７７６号公報
【発明の開示】
【発明が解決しようとする課題】
【０００４】
ところで、表示装置の視認性を高めるためには、例えば、表示パネルにより表示される画像の画質を確保する必要がある。しかしながら、タッチパネルを備えた従来の表示装置では、表示パネルにより表示された画像を常にタッチパネル越しに視認しなければならないため、そのタッチパネルの存在に起因して見かけの画質が低下してしまい、十分な画質を確保し得ないという問題があった。より具体的には、従来の表示装置では、例えば、感圧式タッチパネルの光透過度が一般に８０％前後であるため、表示パネルにより表示された画像をタッチパネルを介さずに直接視認する場合と比較して輝度が２０％程度低下してしまう。また、例えば、表示パネルとタッチパネルとの間に隙間が設けられていると、この隙間の存在に起因して輪郭線等に滲みが生じるため、画質が粗くなってしまう。さらに、タッチパネルには加圧箇所検出用の複数の透明電極配線が設けられているため、この透明電極配線の存在に起因して、この場合においても画質の粗さを招いてしまう。
【０００５】
なお、上記したタッチパネルの存在に起因する見かけの画質低下を改善するための方策としては、例えば、バックライトなどの光源の出力を高めることにより、タッチパネルの存在に起因して低下した分だけ見かけの輝度を補う手段が考えられるが、この場合には、光源の出力を高めた分だけ表示装置の消費電力が増すと共に、その表示装置が熱を帯びて高温化するという新たな問題が生じてしまう。これらのことから、例えば、個人情報管理化の進行に応じてＰＤＡに代表される携帯情報端末用途の表示装置が急速に普及している今日の市場動向を考慮すれば、表示装置の開発分野ではタッチパネルを搭載した場合においても画質を確保することが可能な技術確立が急務である。
【０００６】
本発明はかかる問題点に鑑みてなされたもので、その目的は、見かけの画質を確保し、高画質な画像を表示することが可能な表示装置を提供することにある。
【課題を解決するための手段】
【０００７】
本発明に係る表示装置は、画像を表示する表示パネルと、この表示パネルを操作するために使用され、画像表示方向側において前記表示パネルに対向する第１の位置とこの第１の位置から退避した第２の位置との間を変位可能な操作パネルと、この操作パネルを変位させるための変位機構とを備えたものである。
【０００８】
本発明に係る表示装置では、操作パネルの使用の有無に応じて、その操作パネルが画像表示方向側において表示パネルに対向する第１の位置とこの第１の位置から退避した第２の位置との間で変位機構を利用して自在に変位可能である。
【発明の効果】
【０００９】
本発明に係る表示装置では、操作パネルが第１の位置と第２の位置との間を変位可能であるため、表示パネルに操作パネルが連結固定されていたために常に操作パネル越しに画像を視認しなければならなかった従来の表示装置とは異なり、非使用時に操作パネルを第２の位置まで変位させることにより、表示パネルにより表示された画像が操作パネル越しではなく直接視認される。したがって、常に適性な画質で画像を表示することが可能になると共に、消費電力や高温化に関する問題も生じないため、見かけの画質を確保し、高画質な画像を表示することができる。
【００１０】
また、上記の他、本発明に係る表示装置では、操作パネルが２軸ヒンジ機構を含む変位機構を利用して回動することにより、第２の位置として画像表示方向側と反対方向側において表示パネルに対向する位置まで変位可能であるようにすれば、操作パネルが第２の位置まで変位した状態において外観寸法が全体として小さくなる。したがって、表示装置の薄型化を図り、携帯情報端末用途への適用性を高めることができる。
【００１１】
また、本発明に係る表示装置では、画質調整手段が検出手段を利用して操作パネルが第１の位置に位置するか否かを検出し、その操作パネルの位置に基づいて画質を調整するようにすれば、操作パネルの位置に応じて自動的に画質を適性化することが可能になる。したがって、操作パネルの位置に関わらずに常に適性な画質の画像を表示することが可能になるため、この観点においても画像の高画質化に寄与することができる。
【発明を実施するための最良の形態】
【００１２】
以下、本発明の実施の形態について、図面を参照して詳細に説明する。
【００１３】
［第１の実施の形態］
まず、図１〜図６を参照して、本発明の第１の実施の形態に係る表示装置の構成について説明する。図１〜図６は表示装置の外観構成を表しており、図１〜図３がタッチパネルの変位前の状態、図４〜図６がタッチパネルの変位後の状態をそれぞれ示している。図１〜図６では、図１および図４が斜視構成、図２および図５が正面構成、図３および図６が側面構成をそれぞれ示している。なお、図１、図３、図４および図６に示した矢印Ｇは、表示装置の画像表示方向を表している。
【００１４】
この表示装置は、例えば、携帯情報端末用途のＰＤＡであり、図１〜図６に示したように、画像を表示する表示パネル１０と、この表示パネル１０を操作するために使用される操作パネルとしてのタッチパネル２０と、このタッチパネル２０を変位させるための変位機構としての回動機構３０とを備えている。
【００１５】
表示パネル１０は、例えば、液晶の駆動機構を利用して表示部１１に画像を表示する液晶パネルであり、回動機構３０を構成する狭幅部分（突出部分１４）が画像表示方向Ｇ側に突出した凸型の立体構造を有している。この表示パネル１０の画像表示方向Ｇ側の一面には、タッチパネル２０の変位状態、すなわちタッチパネル２０が後述する操作位置Ｐ１に位置するか否かを検出するための検出手段としての検出スイッチ１２が設けられており、この検出スイッチ１２は、タッチパネル２０の変位状態に応じて加圧または解放されるようになっている。なお、表示パネル１０は、必ずしも液晶パネルに限らず、有機ＥＬ（Electro Luminescence）パネルや無機ＥＬパネルなどの他の表示機構を有するものにより構成される場合もある。
【００１６】
タッチパネル２０は、例えば、Ｘ軸方向およびＹ軸方向にマトリックス状に配設された座標検出用の複数の透明電極配線（図示せず）を含む座標検出パネルを有し、この座標検出パネルを利用して加圧箇所を検出する感圧式タッチパネルであり、表示パネル１０の突出部分１４に対応する箇所に窪み２１を有する凹型の立体構造を有している。このタッチパネル２０による加圧箇所の検出機構を簡単に説明すれば、主に、タッチパネル２０のパネル面内に一定の電圧が供給されている状態において、表示装置のユーザ（以下、単に「ユーザ」という。）がパネル面内の特定箇所に触れると、その特定箇所における電圧変化が検出されるため、その電圧変化に基づいて加圧箇所が特定される。なお、タッチパネル２０は、必ずしも感圧式に限らず、例えば、超音波式や電磁誘導式などの他の検出機構を有するものにより構成される場合もある。
【００１７】
このタッチパネル２０は、画像表示方向Ｇ側において表示パネル１０に対向する位置、すなわち操作位置Ｐ１（第１の位置；図１〜図３参照）と、この操作位置Ｐ１から退避した位置、すなわち退避位置Ｐ２（第２の位置；図４〜図６参照）との間を変位可能になっている。より具体的には、タッチパネル２０は、例えば、回動機構３０を利用して回動することにより、画像表示方向Ｇ側に位置する操作位置Ｐ１と、画像表示方向Ｇ側と反対側に位置する退避位置Ｐ２との間の約２７０°に渡る角度範囲内を円弧を描くように変位可能になっている。この「画像表示方向Ｇ」とは、表示パネル１０からユーザを見たときの画像を表示する方向を意味し、ユーザから表示パネル１０を見たときの画像を視認する方向に対応している。
【００１８】
特に、タッチパネル２０は、例えば、ガラスやプラスチックなどの透光性基板により構成されており、すなわち操作位置Ｐ１において表示パネル１０の表示部１１に表示された画像を視認可能とするための透光性領域を有している。なお、タッチパネル２０は、全体として透光性領域を有していなければならないわけではなく、少なくとも表示部１１に対応した箇所に透光性領域を有していればよい。
【００１９】
回動機構３０は、表示パネル１０の突出部分１４と共に、タッチパネル２０の一端側において突出部分１４を貫通するように設けられた回動軸３１を含む１軸ヒンジ機構を有している。この回動機構３０により、突出部分１４にタッチパネル２０の窪み２１が嵌合された状態において、そのタッチパネル２０が回動軸３１を中心として回動可能に支持されている。この回動機構３０（突出部分１４，回動軸３１）の内部には、例えば、表示パネル１０とタッチパネル２０とを電気的に接続させるためのフレキシブル配線（図示せず）がタッチパネル２０の回動動作に支障を生じさせないように収納されている。
【００２０】
次に、図１〜図７を参照して、表示装置の詳細な構成について説明する。図７は、表示装置のブロック構成を表している。
【００２１】
この表示装置は、例えば、図１〜図６に示した表示部１１や検出スイッチ１２と共に、表示装置全体を制御するコントローラ１３を備えている。このコントローラ１３は、例えば、ＣＰＵ（Central Processing Unit ）などの制御用デバイスにより構成されており、検出スイッチ１２を利用してタッチパネル２０が操作位置Ｐ１に位置しているか否かを検出し、そのタッチパネル２０の位置に基づいて表示部１１に表示される画像の画質を調整する画質調整手段としての機能を有している。
【００２２】
次に、図１〜図７を参照して、表示装置の動作について説明する。なお、以下では、図７に示したコントローラ１３の画質調整動作について言及する。
【００２３】
この表示装置では、図１〜図３に示したように、ユーザがタッチパネル２０を使用して表示パネル２０を操作することを目的として、そのタッチパネル２０を操作位置Ｐ１まで変位させることにより画像表示方向Ｇ側において表示パネル１０に対向させると、そのユーザが表示部１１に表示された画像をタッチパネル２０越しに視認可能な状態となる。この状態では、タッチパネル２０により検出スイッチ１２が加圧されて押されているため、コントローラ１３は、検出スイッチ１２を利用してタッチパネル２０が操作位置Ｐ１に位置していることを認識することにより、タッチパネル２０の存在に起因して見かけの画質が低下した分を補うように表示部１１に表示されている画像の画質を調整し、具体的には、例えば、通常の画質状態よりも輝度や色度を向上させる。この「通常の画質状態」とは、例えば、表示部１１に表示された画像をタッチパネル２０越しではなく直接視認する際に適性とされる輝度や色度を有する画質状態を意味している。これにより、ユーザは、見かけの画質が調整された状態でタッチパネル２０越しに画像を視認しながら、必要に応じてタッチパネル２０を使用して表示パネル１０を操作することが可能になる。
【００２４】
一方、図４〜図６に示したように、ユーザがタッチパネル２０を使用し終えたため、そのタッチパネル２０を回動して変位させることにより操作位置Ｐ１から退避位置Ｐ２まで画像表示方向Ｇ側と反対方向側に退避させると、そのユーザが表示部１１に表示された画像をタッチパネル２０越しではなく直接視認可能な状態となる。この状態では、検出スイッチ１２がタッチパネル２０による加圧状態から解放されるため、コントローラ１３は、検出スイッチ１２を利用してタッチパネル２０が操作位置Ｐ１に位置していないことを認識することにより画質を調整し、具体的には、例えば、通常の画質状態まで輝度や色度を復帰させる。これにより、ユーザは、画質が調整された状態でタッチパネル２０を介さずに画像を視認することが可能になる。
【００２５】
なお、上記したコントローラ１３による画質調整動作は、タッチパネル２０が操作位置Ｐ１と退避位置Ｐ２との間を変位する度に繰り返し実行される。もちろん、ユーザがタッチパネル２０を介さずに表示部１１に表示された画像を直接視認する場合には、必ずしも退避位置Ｐ２までタッチパネル２０を変位させる必要はなく、操作位置Ｐ１と退避位置Ｐ２との間の任意の位置までタッチパネル２０を変位させてもよい。
【００２６】
本実施の形態に係る表示装置では、タッチパネル２０が回動機構３０を利用して回動することにより操作位置Ｐ１と退避位置Ｐ２との間を変位可能であるようにしたので、上記したように、タッチパネル２０を使用時に操作位置Ｐ１まで変位させると共に非使用時に退避位置Ｐ２まで変位させることが可能になり、すなわち使用の有無に応じてタッチパネル２０を自在に変位させることが可能になる。この場合には、表示パネルにタッチパネルが連結固定されていたために、表示パネルにより表示された画像を常にタッチパネル越しに視認しなければならなかった従来の表示装置とは異なり、非使用時にタッチパネル２０を退避位置Ｐ２まで変位させることにより、表示部１１に表示された画像がタッチパネル２０越しではなく直接視認される。これにより、タッチパネル２０の存在に起因した見かけの画質低下を招くことなく画像を表示することが可能になる。もちろん、この場合には、タッチパネル２０の存在に起因した見かけの画質低下を改善するために光源の出力を常時高める必要もないため、消費電力や高温化に関する問題も生じない。したがって、本実施の形態では、見かけの画質を確保し、高画質な画像を表示することができる。
【００２７】
特に、本実施の形態では、コントローラ１３が検出スイッチ１２を利用してタッチパネル２０が操作位置Ｐ１に位置しているか否かを検出し、そのタッチパネル２０の位置に基づいて表示部１１に表示される画像の画質を調整するようにしたので、上記したように、タッチパネル２０が操作位置Ｐ１に位置している状態では通常の画質状態よりも輝度や色度を向上させると共に、タッチパネル２０が操作位置Ｐ１に位置していない状態では通常の画質状態まで輝度や色度を復帰させることが可能になり、すなわちタッチパネル２０の位置に応じて自動的に画質を適性化することが可能になる。したがって、タッチパネル２０の位置に関わらずに常に適性な画質の画像を表示することが可能になるため、この観点においても画像の高画質化に寄与することができる。
【００２８】
［第２の実施の形態］
次に、本発明に係る第２の実施の形態について説明する。
【００２９】
図８〜図１３は本実施の形態に係る表示装置の外観構成を表しており、図８〜図１０がタッチパネルの変位前の状態、図１１〜図１３がタッチパネルの変位後の状態をそれぞれ示している。図８〜図１３では、図８および図１１が斜視構成、図９および図１２が正面構成、図１０および図１３が側面構成をそれぞれ示している。なお、図８〜図１３では、上記第１の実施の形態において説明した構成要素と同一の要素に同一の符号を付している。
【００３０】
この表示装置は、操作位置Ｐ１と退避位置Ｐ２との間の約２７０°に渡る角度範囲内においてタッチパネル２０を回動可能とするための１軸ヒンジ機構を有する回動機構３０を備えていた上記第１の実施の形態とは異なり、その回動機構３０に代えて、操作位置Ｐ１と退避位置Ｐ２との間の約３６０に渡る角度範囲内においてタッチパネル２０を回動可能とするための２軸ヒンジ機構を有する回動機構４０を備える点を除き、上記第１の実施の形態において説明した表示装置とほぼ同様の構成を有している。
【００３１】
表示パネル１０は、回動機構４０を構成する部分（突出部分１４）が画像表示方向Ｇ側に突出していない凸型の立体構造を有している。回動機構４０は、タッチパネル２０の一端側に設けられた回動軸４１（第１の回動軸）と、表示パネル１０の一端側に設けられた他の回動軸４２（第２の回動軸）と、一端側が回動軸４１により回動可能に支持されると共に他端側が回動軸４２により回動可能に支持された回動板４３とを含む２軸ヒンジ機構を有している。タッチパネル２０は、回動機構４０の回動板４３を利用して回動することにより、上記したように、画像表示方向Ｇ側において表示パネル１０に対向する操作位置Ｐ１（図８〜図１０参照）と、画像表示方向Ｇ側と反対方向側において表示パネル１０に対向する退避位置Ｐ２（図１１〜図１３参照）との間の約３６０°に渡る角度範囲内を円弧を描くように変位可能になっている。
【００３２】
この表示装置では、図８〜図１０に示したように、ユーザがタッチパネル２０を操作位置Ｐ１まで変位させることにより、そのタッチパネル２０を画像表示方向Ｇ側において表示パネル１０に対向させると、表示部１１に表示された画像をタッチパネル２０越しに視認可能な状態となる。この状態では、上記第１の実施の形態において図１〜図３を参照して説明した場合と同様に、コントローラ１３が検出スイッチ１２を利用してタッチパネル２０が操作位置Ｐ１に位置していることを認識し、表示部１１に表示された画像の画質を通常の画質状態から調整する。
【００３３】
一方、図１１〜図１３に示したように、ユーザがタッチパネル２０を操作位置Ｐ１から退避位置Ｐ２まで回動して変位させることにより、そのタッチパネル２０を画像表示方向Ｇ側と反対方向側において表示パネル１０に対向させると、表示部１１に表示された画像をタッチパネル２０越しではなく直接視認可能な状態となる。この状態では、上記第１の実施の形態において図４〜図６を参照して説明した場合と同様に、コントローラ１３が検出スイッチ１２を利用してタッチパネル２０が操作位置Ｐ１に位置していないことを認識し、表示部１１に表示された画像の画質を通常の画質状態まで復帰させる。
【００３４】
このタッチパネル２０が操作位置Ｐ１から退避位置Ｐ２まで変位する場合には、タッチパネル２０が操作位置Ｐ１に位置する状態において、回動板４３が回動軸４２を中心として回動すると、その回動板４３の回動動作に応じて回動軸４１が表示パネル１０の表側から裏側に移動するため、タッチパネル２０が回動軸４１を中心として回動することにより退避位置Ｐ２まで変位することが可能になる。これにより、ユーザは、画質が調整された画像をタッチパネル２０を介さずに視認することが可能になる。
【００３５】
本実施の形態に係る表示装置では、タッチパネル２０が回動機構４０を利用して回動することにより操作位置Ｐ１と退避位置Ｐ２との間を変位可能であるようにしたので、上記第１の実施の形態と同様の作用により、従来の表示装置とは異なり、見かけ上の画質低下を招くことなく画像を表示することが可能になると共に、消費電力や高温化に関する問題も生じない。したがって、本実施の形態では、見かけの画質を確保し、高画質な画像を表示することができる。
【００３６】
特に、本実施の形態では、タッチパネル２０が２軸ヒンジ機構を含む回動機構４０を利用して操作位置Ｐ１と退避位置Ｐ２との間の約３６０°に渡る角度範囲内を回動することにより、その退避位置Ｐ２として画像表示方向Ｇ側と反対方向側において表示パネル１０に対向する位置まで変位するようにしたので、タッチパネル２０が操作位置Ｐ１と退避位置Ｐ２との間の約２７０°に渡る角度範囲内しか回動せず、その退避位置Ｐ２として画像表示方向Ｇ側と反対方向側において表示パネル１０に対向する位置まで変位し得ない上記第１の実施の形態と比較して、タッチパネル２０が退避位置Ｐ２まで変位した状態において外観寸法が全体として小さくなり、特に、厚さ（Ｙ軸方向の寸法）が小さくなる。したがって、本実施の形態では、表示装置の薄型化を図り、携帯情報端末用途への適用性を高めることができる。
【００３７】
以上、いくつかの実施の形態を挙げて本発明を説明したが、本発明は上記各実施の形態に限定されるものではなく、それらの実施の形態と同様の効果を得ることが可能な限り、自由に変形可能である。
【００３８】
具体的には、例えば、上記第１の実施の形態では、１軸ヒンジ機構を含む回動機構３０の構成を図１〜図６に示したが、この回動機構３０の構成は必ずしも図１〜図６に示したものに限らず、１軸ヒンジ機構を利用してタッチパネル２０を操作位置Ｐ１と退避位置Ｐ２との間で変位させることが可能な限り、その回動機構３０の構成は自由に変更可能である。もちろん、上記第２の実施の形態において説明した回動機構４０の構成も同様に図８〜図１３に示したものに限らず、自由に変更可能である。
【００３９】
また、上記各実施の形態では、表示装置が回動機構３０，４０を有し、これらの回動機構３０，４０を利用してタッチパネル２０が回動することにより操作位置Ｐ１と退避位置Ｐ２との間を変位するようにしたが、必ずしもこれに限られるものではなく、例えば、表示装置が回動機構３０，４０に代えてスライド機構を備え、このスライド機構を利用してタッチパネル２０が上下方向（Ｚ軸方向）あるいは横方向（Ｘ軸方向）にスライドすることにより操作位置Ｐ１と退避位置Ｐ２との間を変位するようにしてもよい。この場合においても、上記各実施の形態とほぼ同様の効果を得ることができる。もちろん、タッチパネル２０を操作位置Ｐ１と退避位置Ｐ２との間で変位させることが可能であれば、回動機構３０，４０やスライド機構以外の他の変位機構を利用することも可能である。
【００４０】
また、上記各実施の形態では、本発明を携帯情報端末用途のＰＤＡに適用する場合について説明したが、必ずしもこれに限られるものではなく、例えば、他の携帯情報端末用途としてのデータビューワや一般視聴用途の液晶テレビなどに適用することが可能である。もちろん、これらのデータビューワや液晶テレビ以外の用途に本発明を適用することも可能である。いずれの場合においても、上記各実施の形態と同様の効果を得ることができる。
【産業上の利用可能性】
【００４１】
本発明に係る表示装置は、液晶テレビなどの一般視聴用途やＰＤＡまたはデータビューワーなどの携帯情報端末用途の表示装置など、画像を表示する各種用途の表示装置に適用することが可能である。
【図面の簡単な説明】
【００４２】
【図１】本発明の第１の実施の形態に係る表示装置のタッチパネルの変位前の斜視構成を表す斜視図である。
【図２】図１に示した表示装置の正面構成を表す正面図である。
【図３】図１に示した表示装置の側面構成を表す側面図である。
【図４】本発明の第１の実施の形態に係る表示装置に関するタッチパネルの変位後の斜視構成を表す斜視図である。
【図５】図４に示した表示装置の正面構成を表す正面図である。
【図６】図４に示した表示装置の側面構成を表す側面図である。
【図７】図１〜図６に示した表示装置のブロック構成を表すブロック図である。
【図８】本発明の第２の実施の形態に係る表示装置のタッチパネルの変位前の斜視構成を表す斜視図である。
【図９】図８に示した表示装置の正面構成を表す正面図である。
【図１０】図８に示した表示装置の側面構成を表す側面図である。
【図１１】本発明の第２の実施の形態に係る表示装置に関するタッチパネルの変位後の斜視構成を表す斜視図である。
【図１２】図１１に示した表示装置の正面構成を表す正面図である。
【図１３】図１１に示した表示装置の側面構成を表す側面図である。
【符号の説明】
【００４３】
１０…表示パネル、１１…表示部、１２…検出スイッチ、１３…コントローラ、１４…突出部分、２０…タッチパネル、２１…窪み、３０，４０…回動機構、３１，４１，４２…回動軸、４３…回動板、Ｇ…画像表示方向、Ｐ１…操作位置、Ｐ２…退避位置。
【図１】
2005037816.tif 000003
【図２】
2005037816.tif 000004
【図３】
2005037816.tif 000005
【図４】
2005037816.tif 000006
【図５】
2005037816.tif 000007
【図６】
2005037816.tif 000008
【図７】
2005037816.tif 000009
【図８】
2005037816.tif 000010
【図９】
2005037816.tif 000011
【図１０】
2005037816.tif 000012
【図１１】
2005037816.tif 000013
【図１２】
2005037816.tif 000014
【図１３】
2005037816.tif 000015